(57)【特許請求の範囲】
【請求項１】
容器に、容器内に満たされ得るまたは満たされた３％Ｈ２Ｏ２水溶液と、プラチナ層からなり、その表面がＨ２Ｏ２水溶液と接触する触媒とを備え、
担体に塗工された銀層（７）が、表面によって、容器（１）内のＨ２Ｏ２水溶液と直接接触し、
その表面は、満たされたＨ２Ｏ２水溶液の３０ｍｍ２／ｍｌ未満であることを特徴とするコンタクトレンズのケア用装置。
【請求項２】
前記銀層（７）は、コンタクトレンズをＨ２Ｏ２溶液に浸す押さえ装置（６）上に設けられていることを特徴とする請求項１に記載のコンタクトレンズのケア用装置。
【請求項３】
前記押さえ装置（６）は、密閉カバー（３）の下側に設けられていることを特徴とする請求項２に記載のコンタクトレンズのケア用装置。
【請求項４】
前記銀層が、押さえ装置（６）の片側に設けられ、前記プラチナ層（２）が押さえ装置（６）のもう一方に設けられ、前記押さえ装置（６）がガラス製であることを特徴とする請求項１〜３のいずれかに記載のコンタクトレンズのケア用装置。
【請求項５】
前記３％Ｈ２Ｏ２水溶液は、生理的溶液であることを特徴とする請求項１〜４のいずれかに記載のコンタクトレンズのケア用装置。
【請求項６】
前記３％Ｈ２Ｏ２水溶液は、ｐＨ値が６〜８であることを特徴とする請求項１〜５のいずれかに記載のコンタクトレンズのケア用装置。
【発明の詳細な説明】
【０００１】
【発明の属する技術分野】
本発明は、請求項１の序文に記載のコンタクトレンズのケア用装置に関する。
【０００２】
【従来の技術】
ドイツ特許ＤＥ  １９６  ２４  ０９５  Ｃ１に開示されているような装置の場合、３％Ｈ２Ｏ２溶液をコンタクトレンズの消毒用に供給する、コンタクトレンズのケア用の容器が設けられている。コンタクトレンズは、処理と保管のためにこの溶液に浸される。過酸化水素水溶液の中和のために、プラチナ層がガラス製の成形体上に配置され、このプラチナ層はガラス製の容器の内面被膜として設けられていてもよい。
【０００３】
しかしながら、コンタクトレンズのケアにとっては、特に、コンタクトレンズをケア溶液中で数時間保管する場合、例えば、ソフトコンタクトレンズ（ＤＥ  １９６  ０１  ５６８  Ａ１）の場合には、消毒効果に加え、抗菌および抗ウイルスの効果と十分な保存が重要である。
【０００４】
微生物上の重金属、特に銀の微量毒効果、すなわち、増殖阻害または致死効果が知られている。しかしながら、冒頭に述べた従来の様式のケア装置における銀（Silvering）の使用（Einsatz）の際、プラチナ触媒の耐久性が損なわれ、プラチナ層触媒を短時間で取り替えなければならないことが判った。
【０００５】
【発明が解決しようとする課題】
したがって、本発明の目的は、ケア装置の微量毒に加えて、プラチナ層触媒の耐久性を確実に延ばす、冒頭に述べたタイプの装置を提供することである。
【０００６】
本発明によれば、請求項１の特徴を有する形態によって、この目的が達成される。
【０００７】
【課題を解決するための手段】
本発明は、過酸化水素溶液中で効果的な銀の全表面が上限を越えなければ、プラチナ層触媒の耐久性が否定的に損なわれないという認識に基づいている。この上限は、容器内に満たされたＨ２Ｏ２溶液が３０ｍｍ２／ｍｌの場合である。Ｈ２Ｏ２水溶液は、生理的なｐＨ値（約６〜８）の生理的な溶液であることが好ましい。この溶液では、担体上に均一に存在する銀金属層により所望の長期抗菌効果が達成される。消毒期の最終段階での黒色アスペルギルス(Aspergillus niger)に加えて、国際標準化機構ＩＳＯ／ＣＤ１４７２９で提供される試験細菌（緑膿菌(Pseudomonas aeruginosa)、黄色ブドウ球菌(Staphylococcus aureaus)、レイ菌(Serratia marcescens)、鵞口瘡カンジダ(Candida albicans)およびフサリウムソラニ(Fusarium solani)）の１０５〜１０６ＫＢＥ／ｍｌの接種後、消毒期（２〜６時間）以内では、増殖が見られず、または、少なくとも１０の５乗（５ｌｏｇ）の細菌の減少が観測された。ポリオウイルスの接種後、６０分以内で検出限界内の減少が得られた。アデノウイルスの接種後、１２０分以内で３ｌｏｇ以上の減少が得られ、２４０分後、４．５ｌｏｇ以上の減少（検出限界未満のウイルス）が得られた。ＨＳＶ１−ウイルスの接種後、３０分以内で、３ｌｏｇ以上の減少（検出限界未満のウイルス）が生じた。
【０００８】
その結果、コンタクトレンズの消毒中に極めて効果的であり、予防薬を使用せずに保管中に微生物汚染を防ぐ、コンタクトレンズの消毒および保管用の単段装置が創作される。
【０００９】
好適な様式においては、容器内に満たされたＨ２Ｏ２水溶液（３％）が銀表面で約０．２〜０．６、好ましくは０．３ｍｍ２／ｍｌ使用される。
【００１０】
示された表面を有する銀表面は、コンタクトレンズを溶液中に浸すコンタクトレンズ押さえ装置上に設けられる。このコンタクトレンズ押さえ装置は、容器を覆う密閉カバーの下側に、公知の様式で設けられる。押さえ装置は、コンタクトレンズのケアおよびケア溶液の中和の間の気体発生の結果、処理すべきコンタクトレンズがケア溶液の水面に押し上げられるのを防止し、コンタクトレンズを絶えずケア溶液に浸し続ける。
【００１１】
コンタクトレンズのケア用装置は、ドイツ特許ＤＥ  １９７  ５７  ３５．８  Ａ１に開示されているような構成にすることができる。この場合、Ｈ２Ｏ２水溶液とコンタクトレンズを収容する容器はガラス製とし、内側をプラチナ層触媒で覆うことができる。プラチナ層はスパッタリングによって塗工され得る。しかしながら、ドイツ特許ＤＥ  １９６  ２４  ０９５  Ｃ１の容器に、プラチナ層を備えたガラス製の成形体を設けることもできる。ケア溶液中に浸される押さえ表面上にも溶液が存在するように、孔を備えたコンタクトレンズ押さえ装置上に銀層が好適に配置される。
【００１２】
他の実施形態においては、コンタクトレンズ押さえ装置はガラス製とし、押さえ装置の一方の側面、特に下側に、スパッタリングにより好適に塗工されたプラチナ層が配置され、他の側面、特に押さえ装置の上側に、スパッタリングによっても塗工可能な銀層が配置され得る。この容器は、プラスチック製であってもよい。
【００１３】
【発明の実施の形態】
図面を参照して、実施形態により本発明を説明する。
図１に示す実施形態においては、液体が密閉される二つのカップ型の容器１がケース４の二つの収容室５内に配置されている。各容器１は、コンタクトレンズの収容用およびケア用に用いられる。各収容室５の外側には、カバー３がそこにはめられるように、ケース４の上端部にねじ山が設けられている。しかしながら、ケース上のカバー用に、クリップ留め装置、保持留め金等のような異なる保持装置を設けることも可能である。その結果、カバーとケースの間に、液体を密閉する連結がもたらされる。収容室５の内部には、カバーの下側部から、また、収容室５の内側部から、各容器１が一定の距離をおいて保持されている。その結果、各容器の上端縁または各容器の外側と、各収容室５の内側との間に、空間が作り出され、この空間は、コンタクトレンズのケア中に各容器内で発生される気体用の経路を形成している。各ケース４では底部が下側部に設けられている。このケースはプラスチック製であることが好ましい。底部はプラスチック製、特に金属被覆プラスチック製、または金属製であってもよい。ドイツ特許  ＤＥ  １９７  ５７  ３５６．８に記載されているように、取り外し可能な様式、例えば、スナップオン連結により、底部がケース４に固定されていてもよい。その結果、容器でのコンタクトレンズのケア中および保管中に発生する気体が、設けられた空間を通って抜け出るのを確実にしている。
【００１４】
説明された実施形態には、それぞれ一つの押さえ装置６が設けられている。押さえ装置６は、満たされたケア溶液内に浸される押さえ表面を有している。ケア溶液は３％Ｈ２Ｏ２水溶液から構成されている。このケア溶液の効果の結果、浸されたコンタクトレンズが消毒される。ケア後のコンタクトレンズ上での過酸化水素の余剰を避けるために、プラチナ層２の効果により過酸化水素が酸素と水素に分解（中和）される。
【００１５】
図１の実施形態において、プラチナ層２はガラス製の容器１の内側に配置されている。プラチナ層２と同様にスパッタリングによって押さえ装置６の上側に塗工することができる銀層７は、押さえ装置６上に配置されている。ケア溶液が押さえ表面を通過し、満たされたケア溶液の水面下に配置される押さえ表面によって、コンタクトレンズが浸されるのを確実にするように、押さえ装置６は孔を有している。塗工された銀層７は、満たされたケア溶液の充填体積内に常に配置されている。その結果、過酸化水素溶液の中和後と同様に、過酸化水素が効果を有する消毒期中に、溶液の微量毒効果が達成される。
【００１６】
図示しない他の実施形態においては、中和触媒として作用するプラチナ層２は押さえ装置６の下側に配置されている。銀層７は押さえ装置６の上側に配置されている。この実施形態においては、押さえ装置６はガラス製である。銀層７はスパッタリングにより好適に製造される。Ｈ２Ｏ２溶液と接触する銀層７の表面は、Ｈ２Ｏ２溶液の充填体積に対しておおよそ３０ｍｍ２／ｍｌに相当する。この実施形態において、容器１はガラス製、またはプラスチックのような他の材料製であってもよい。
【００１７】
押さえ装置６に代えて、カバー３の下側にそれぞれ設けられ、銀層の７を伴う小さなカゴを用いることもできる。押さえ装置および小さな保管カゴは、常にケア溶液中にコンタクトレンズを浸すことを確実としている。中和およびケア中に発生する気体は、ケア溶液の水にレンズを押し上げることができない。その結果、浸されたコンタクトレンズの絶え間ないケアが達成される。
【００１８】
様々な試験生物の場合におけるケア装置の異なる実施形態の微量毒効果が、下記の表１および２に示されている。この場合、中和された過酸化水素溶液（等浸透圧、ｐＨ６．５、過酸化水素の残留濃度５ｐｐｍ未満）は、溶液１ｍｌあたり約１０６の微生物を接種されている。表に基づくと、銀層表面がそれぞれ小さい場合（０．１５と２．０ｍｍ２／ｍｌとの間）においても、特にソフトコンタクトレンズのケアに重要な微量毒効果が相当長期間にわたって達成されている。
【００１９】
【表１】
0004306967.tif 000002
【００２０】
【表２】
0004306967.tif 000003
【００２１】
【図面の簡単な説明】
【図１】  本発明の第１実施形態を示す図である。 
【符号の説明】
１…容器、２…プラチナ層、３…カバー、４…ケース、５…収容室、
６…押さえ装置、７…銀層、８…底部。
【図１】
0004306967.tif 000004